(57)【要約】  方法は、表面被覆ラミネート材料を合掌貼りで貼付するための指示を提供する。ある分量の表面被覆ラミネートが提供される。この分量の一部分は、第１の面および第２の面を有するウェブ材料を含む。第１の面は接着剤を含む。第２の面は剥離ライナー材料に剥離可能に接合される。表面被覆ラミネートの第１の部分の第１の面は、目標表面と接触して配置される。第２の部分の第１の面は、目標表面と接触して配置される。第２の部分の少なくとも一部は、第１の部分の剥離ライナーの一部に重なる。剥離ライナーは第２の部分から除去される。剥離ライナーは、第１の部分に重なる第２の部分のその部分と共に、表面被覆ラミネートの第１の部分から除去される。
2009528466.tif 000002
【特許請求の範囲】
【請求項１】
表面を被覆する方法であって、
ａ）分量の少なくとも一部分が第１の面および第２の面を有するウェブ材料を含み、前記第１の面が接着剤を含み、前記第２の面が剥離ライナー材料に剥離可能に接合される、ある分量の表面被覆ラミネートを提供する工程；
ｂ）前記表面被覆ラミネートの第１の部分の前記第１の面を被覆される表面と接触させて配置する工程；
ｃ）前記表面被覆ラミネートの第２の部分の前記第１の面を、前記第２の部分の少なくとも一部が前記第１の部分の前記剥離ライナーの一部に重なるようにして、被覆される表面と接触させて配置する工程；
ｄ）前記剥離ライナーを前記表面被覆ラミネートの前記第２の部分から除去する工程；および
ｅ）前記剥離ライナーを、前記第１の部分に重なる前記第２の部分のその部分と共に、前記表面被覆ラミネートの前記第１の部分から除去する工程
を含む方法。
【請求項２】
前記第１の部分の前記縁部に重なる前記第２の部分のその部分を艶出しする工程を更に含む、請求項１に記載の方法。
【請求項３】
前記第１の部分の前記剥離ライナーを除去する前に、前記第１の部分の前記重なり合った縁部に沿って器具の縁部を整列させる工程を更に含む、請求項１または請求項２に記載の方法。
【請求項４】
工程ｅ）が、前記第１の部分の前記剥離ライナーを、被覆された前記表面に実質的に平行であり、且つ前記第１の部分の前記重なり合った縁部に対して１５度〜７５度の角度の方向に引張る工程を含む、請求項１から３のいずれか一項に記載の方法。
【請求項５】
ある分量の表面被覆ラミネートを提供する前記工程が、前記剥離ライナーに固定的に取り付けられ、前記ラミネートシートの前記ウェブ材料を超えて延びるように配置されたプルタブを含む、前記ラミネートの少なくとも第１のシートを提供する工程を含む、請求項１から４のいずれか一項に記載の方法。
【請求項６】
前記第１のシートの前記剥離ライナーを除去する前記工程が、前記第１のシートの前記プルタブを引張る工程を含む、請求項５に記載の方法。
【請求項７】
ある分量の表面被覆ラミネートを提供する前記工程が、前記剥離ライナーが前記ウェブ材料と同一を超える広がりを持つ表面被覆ラミネートシートを提供する工程を含む、請求項１から６のいずれか一項に記載の方法。
【請求項８】
ある分量の表面被覆ラミネートを提供する前記工程が、実質的に円筒状の形態で自身の周りに巻き付けられ、且つ被覆される前記表面の寸法に従って決定されたシート長さを有する少なくとも１つのシートを提供する工程を含む、請求項１から７のいずれか一項に記載の方法。
【請求項９】
前記剥離ライナーが、前記ラミネートの少なくとも１つの縁部に平行に配置されたしるしを含む、請求項１から８のいずれか一項に記載の方法。
【発明の詳細な説明】
【技術分野】
【０００１】
本発明は、目標表面に装飾的ラミネートを貼付する方法に関する。本発明は、特に、目標表面に装飾的ラミネートを貼付する合掌貼り方法に関する。この方法は、特に、建築用表面に装飾的ラミネートを貼付することに関する。
【背景技術】
【０００２】
装飾的表面被覆は当該技術分野において周知である。壁紙およびドライカラーラミネートは、巻き出され、壁、天井、床、または他の表面といった目標表面に貼付されてもよい、ロール状のウェブの形態で入手可能であることが一般に知られている。接着剤層および場合によっては剥離ライナーを含むドライカラーラミネート材料が知られているが、広く用いられてはいない。そのような材料を効果的且つ美観的に貼付するための工具および方法論も、広く利用可能なものではない。
【発明の開示】
【発明が解決しようとする課題】
【０００３】
乾性塗料の塗布および他のラミネートの貼付は、合掌貼りによる利益を得てもよい。合掌貼りは、材料部分の間の継ぎ目において厚さが二重になった領域がないため、より平滑な仕上げ表面を提供する。
【課題を解決するための手段】
【０００４】
１つの態様では、方法は、目標表面に表面被覆材料を合掌貼りで貼付する工程を提供する。ある分量の表面被覆ラミネートが提供される。分量の少なくとも一部分は、第１の面および第２の面を有するウェブ材料を含み、第１の面は接着剤を含み、第２の面は剥離ライナー材料に剥離可能に接合される。表面被覆ラミネートの第１の部分の第１の面は、被覆される表面と接触して配置される。表面被覆ラミネートの第２の部分の第１の面は、第２の部分の少なくとも一部が第１の部分の剥離ライナーの一部に重なるようにして、被覆される表面と接触して配置される。剥離ライナーは、表面被覆ラミネートの第２の部分から除去される。剥離ライナーは、第１の部分に重なる第２の部分のその部分と共に、表面被覆ラミネートの第１の部分から除去される。
【０００５】
別の態様では、方法は、ある分量の表面被覆ラミネート材料を提供する工程を含む。この分量は、手作業で、或いはラミネートアプリケータを使用することによって、別個の部分に分離されてもよい。表面被覆ラミネートの少なくとも１つの部分は、第１の面および第２の面を有するウェブ材料を含み、第１の面は接着剤を含み、第２の面は剥離ライナー材料または裏張りシート材料に剥離可能に接合される。表面被覆ラミネートの第１の部分の第１の面は、被覆される表面と接触して配置される。表面被覆ラミネートの第２の部分の第１の面は、被覆される表面と接触して配置され、第２の部分の少なくとも一部は第１の部分の剥離ライナーの一部に重なる。剥離ライナーは、第２の部分の剥離ライナーを包含する、第１の部分に重なる第２の部分のその部分と共に、表面被覆ラミネート材料の第１の部分から除去される。これにより、第１の部分に隣接し、且つそれに当接した第２の部分が残される。
【発明を実施するための最良の形態】
【０００６】
図に示されるように、一実施形態では、表面被覆材料を貼付するキット１００は、表面被覆材料のロールを保持し、且つ目標表面に表面被覆材料を貼付するように適合された第１のアプリケータ１０を含む。キット１００は、表面被覆材料を貼付するための、且つ第１のアプリケータ１０を使用するための指示２０も含む。
【０００７】
第１のアプリケータ１０は、表面被覆材料のロールを保持し、目標表面への材料の貼付を可能にする。第１のアプリケータ１０は、表面被覆材料部分が目標表面に貼付されるとき、その部分を整列させ、重ね合わせ、切断するのを容易にする機構を含有してもよいが、これらに限定されない。第１のアプリケータ１０は、特定の幅、または特定の幅範囲内の幅を有するロールと共に使用されるように適合される。第１のアプリケータ１０は、第１のアプリケータを使用する際に行われる一連の作業において、ユーザに対して手引きを提供するしるしを備えてもよい。そのようなしるしは、しるしを見る角度に応じて、使用の特定の工程に関連する変動的なしるしをユーザが目にするように、視角に応じた図形の形態であってもよい。そのような視角に応じた図形により、第１のアプリケータ１０の適切な配置および使用に関して、追加情報をユーザに伝達することが可能になってもよい。
【０００８】
一実施形態では、第１のアプリケータは、第１のアプリケータ１０を使用する際に受け取った入力に従ってそれぞれのドットを順次的に照明することによって、第１のアプリケータ１０の適切な使用を介して順次的にユーザを導く、一連のスマートドットを含む。代表的な第１のアプリケータ１０は、２００４年１０月２６日にスタインハルト（Steinhardt）に発行された米国特許第６，８０８，５８６号、および２００５年５月５日に公開された係属中の米国特許公報第２００５／００９２４２０号に記載されている。
【０００９】
表面被覆材料は、ロール形態で入手可能であり、第１のアプリケータ１０から貼付するように適合されたあらゆる表面被覆材料を含んでもよい。代表的な表面被覆材料としては、同時係属中の米国特許出願である、２００３年７月１７日公開の第２００３／０１３４１１４Ａ１号；２００４年４月２２日公開の第２００４／００７６７８８号；２００４年１０月１４日公開の第２００４／０２００５６４号；２００４年１２月１６日公開の第２００４／０２５３４２１Ａ１号；および２００５年１月６日公開の第２００５／０００３１２９号；２００５年９月８日公開の第２００５／０１９６６０７号；ならびに、ＷＩＰＯ公開公報である、２００５年９月２２日公開の第２００５／０８７４９２号；２００５年９月２２日公開の第２００５／０８７４９０号；２００４年９月２日公開の第２００４／０７４００３号；および２００４年９月２日公開の第２００４／０７４００９号に開示されているような乾性塗料が挙げられる。
【００１０】
代表的な指示２０としては、目標表面を準備する方法、目標表面に表面被覆材料を貼付する方法、内角、外角、および曲面など、目標表面の問題がある領域に材料を貼付する方法、ならびに、電気コンセント、サーモスタット、およびスイッチなどの品目に対処する方法が挙げられるが、これらに限定されない。指示２０は、また、目標表面に表面被覆材料を貼付するため、キット１００に提供されたいずれかおよび全ての器具についての説明と、それらの使用に関する指示を提供してもよい。
【００１１】
一実施形態では、指示の幅は、ユーザが、より詳細な指示を熟読することなく、製品を実際に貼付する段階に迅速に進むことができるような形で提示される指示の基本的な一式に限定された、一式の「クイックスタート」指示を包含する。
【００１２】
一実施形態では、指示２０は、消費者が、より高いレベルの貼付技術を必要とする指示に従うことによって、表面被覆材料を用いてより完璧な外観を得ることができる、非常に詳細でより複雑な「専門的レベル」の指示を包含する。
【００１３】
一実施形態では、指示２０は、表面被覆材料を使用して独特な外観を得るための方法およびヒントを包含する。代表的なヒントとしては、表面上のアクセントとして材料を使用すること、材料の異なる色およびパターンを組み合わせること、材料をステンシルまたは転写ステッカーと組み合わせて使用してより個人化された外観を得ること、ならびにそれらの方法の組み合わせが挙げられる。
【００１４】
指示２０は、伝達される内容の性質に適したいかなる形態のものであってもよい。代表的な指示の形態としては、キット１００の包装の表面上に印刷された文章および／または画像、キットの内容の使用法および表面被覆材料の貼付における文章および／または図形による指示を提供する印刷された小冊子、デジタル汎用ディスク、コンパクトディスク、コンパクトフラッシュメモリ、または当該技術分野において既知のような他のデジタル記憶手段などのデジタル記憶媒体が挙げられるが、これらに限定されない。指示は、また、ビデオテープなどのアナログ形式で提供されてもよい。
【００１５】
指示２０は、表面被覆材料の貼付に関連付けられた工程の音声および／または映像での表示を含んでもよい。表示は、個人用音響機器で再生するのに適した音声形式で提供される、段階的な貼付の指示を包含してもよい。表示は、聴取者が工程を聴取し、表示を一時停止し、工程を実行し、次に表示を再開させることができるように系統化されてもよい。一実施形態では、表示は、個人用ＭＰ３プレイヤーで再生するのに適したＭＰ３ファイルとして提供されてもよい。他の実施形態では、表示は、当該技術分野において既知のような音声・映像再生機器を使用して見直すことが可能であってもよい。
【００１６】
一実施形態では、指示２０は、方法の工程が説明され、プロセスを通して聴取者に対して語りかける媒体表示を含む。この実施形態では、表現は、プロセスの一部である音声による合図を包含し、特定の工程と関連付けられた合図がどのように聞こえるはずであるかに関して聴取者により良好に通知するため、音声による実際の合図の再現を提供する。表示は、また、視覚的観点から、プロセスにおけるいずれかの特定の地点までの方法の工程に続いて何が生じるべきかについての視覚的表示を含んでもよい。
【００１７】
代表的な指示２０としては、音声コンテンツ、映像コンテンツ、または音声および映像のコンテンツのいずれかを含むデータファイルが挙げられる。このファイルは、当該技術分野においては記憶媒体が既知であるため、そのような媒体に提供されてもよく、或いは、ユーザがアクセスし、且つ／またはダウンロードするため、ネットワークを介して入手可能であってもよい。ファイルは、コンピュータに格納されるか、他の媒体に転送されるか、またはＭＰ３プレイヤーなどの媒体プレイヤーに格納されてもよい。次に、ユーザは、ファイルを見直す段階に進んでもよく、見直す間に指示に従ってもよい。ファイルは、指示の一工程を提供し、次に、その工程を実行するようにユーザを促してもよい。ファイルは、視覚または音声による合図を提供して、工程を適切に実行するようにユーザを導いてもよい。ファイルは、特定の工程の間に何が発生するべきかを説明するか、または示してもよい。ユーザは、多数のやり方でファイルにアクセスしてもよい。ファイルを連続的に停止することなく見直してもよい。ファイルを適当な時に停止しながら断片的に見て、材料の設置を続行してもよい。特定の工程を再生して見直し、他の工程を飛ばしながら、ファイルをばらばらの順序で見直してもよい。指示は、各章が指示２０の特定の工程または観点に関連する、個別の章に分割されてもよい。
【００１８】
一実施形態では、指示２０は、第１の表面と第２の表面の接合部に形成される内角に表面被覆材料を貼付する方法を含む。この実施形態では、方法は、第１の表面上に、第１および第２の表面の接合部の一部分に実質的に平行な線を引く工程を含む。線は、表面被覆材料のロールの幅よりも少ない量だけ、接合部から離して置かれる。一例として、線は、壁と第２の壁の接合部に平行に、且つ接合部から約３．５ｃｍだけ離れて壁の上に引かれてもよい。約５ｃｍの幅を有する材料のロールからの表面被覆材料を使用して、表面被覆材料の一部分が線と接合部の間の第１の表面に貼付され、表面被覆材料の１つの縁部は線と整列される。表面被覆材料の一部分は接合部を超えて第２の表面の一部分を被覆し、材料の約１．５ｃｍは第２の壁への接合部を超えて貼付される。材料の貼付された部分は平滑化されて、第１または第２の壁のいずれかに貼付された部分にしわまたは閉じ込められた空気があれば、それらが除去される。このプロセスは、壁の接合部全体が被覆されるまで繰り返されてもよい。表面被覆材料の一部分は、約０．１ｃｍ〜約２．５ｃｍの範囲の量で第２の壁に貼付されてもよい。表面被覆材料の一部分を第１の表面に貼付し、第２の表面上に重ねた後、表面被覆材料の第２の部分が第２の表面に貼付されてもよい。第２の部分は、既に貼付された部分と重なり合うように貼付されてもよい。第２の部分は、第２の表面に全体が貼付されてもよく、或いは第１の表面上に部分的に重なるように貼付されてもよい。
【００１９】
一実施形態では、指示２０は表面被覆材料を貼付する方法を含む。この実施形態では、方法は、実質的に障害物および角領域がない目標表面の部分を選択する工程を包含する。表面被覆材料の第１の部分は、目標表面と第２の表面の接合部に貼付される。本発明を限定するものではないが、一例として、表面被覆材料の縁取り幅ロール（trim width roll）のセグメントもしくは複数のセグメントを使用して、部屋の壁の中央の一部分を、壁が天井に接する地点において、または天井の縁取り木工部（trim woodwork）を被覆してもよい。縁取りを貼付した後、所望の表面被覆終了地点までの目標表面一面に、表面被覆材料の第２の部分が第１の部分から貼付される。この例では、幅広ロールからの材料は、縁取り部分と床の間の縁取り部分、床接合部の木工部、腰長押、または表面被覆の他の下側終了地点にある程度重なるようにして貼付される。
【００２０】
表面の被覆は、設置者に都合が良いように間隔を置いて続行してもよい。ウェットエッジはなく、またはウェットエッジを維持する必要は全くなく、或いは、壁紙を設置する場合のように、ウェブ材料が乾く前に続行する必要は全くない。材料の貼付は、部屋の目立たない部分で始める必要はない。その代わりに、貼付は、被覆される領域の最も広々した目立つ部分で開始されてもよい。
【００２１】
一実施形態では、指示は、表面被覆材料の隣接部分が、重なり合った継ぎ目のない状態で互いに当接するようにして、表面被覆材料を貼付する方法（１つまたは複数）を含む。
【００２２】
一実施形態では、方法は、ある分量の表面被覆ラミネート材料を提供する工程を含む。この分量は、手作業で、或いはラミネートアプリケータを使用することによって、別個の部分に分離されてもよい。表面被覆ラミネートの少なくとも１つの部分は、第１の面および第２の面を有するウェブ材料を含み、第１の面は接着剤を含み、第２の面は剥離ライナー材料または裏張りシート材料に剥離可能に接合される。表面被覆ラミネートの第１の部分の第１の面は、被覆される表面と接触して配置される。表面被覆ラミネートの第２の部分の第１の面は、被覆される表面と接触して配置され、第２の部分の少なくとも一部は第１の部分の剥離ライナーの一部に重なる。剥離ライナーは、表面被覆ラミネート材料の第２の部分から除去される。剥離ライナーは、第１の部分に重なる第２の部分のその部分と共に、表面被覆ラミネート材料の第１の部分から除去される。これにより、第１の部分に隣接し、且つそれに当接した第２の部分が残される。
【００２３】
裏張りシート材料または剥離ライナーの除去は、接着剤で裏打ちされた裏張りシートの除去器具の一部分を剥離ライナーの上方角に当て、表面被覆ラミネートの長縁部から約１５度〜約７５度の角度で下向きに引張ることによって容易になってもよい。代替実施形態では、裏張りシートは、長縁部から約３０度〜約６０度の角度で引張ることによって除去されてもよい。表面被覆ラミネートの連続する部分はそれぞれ目標表面に付着されるので、裏張りシート除去器具はその部分に添えられてもよい。一実施形態では、指示２０は、接着剤で裏打ちされた裏張りシートの除去器具の使用法を例示するカードを包含する。
【００２４】
材料は、目標表面に沿って開始地点から離れる方向に動く動作によって引き離されているので、除去プロセスと関連付けられた剥離角度は約１８０度であると見なされる。同時に、材料は、表面被覆材料の長縁部から約１５度〜約７５度の角度で引張られている。
【００２５】
一実施形態では、継ぎ合わせ方法は、材料の第１の部分と重なり合う地点において、材料の第２の部分を艶出しすることを包含する。ローラー状の艶出し工具を重なり地点に沿って通過させることによる材料の艶出しによって、重なり合った部分を第１の部分の裏張りシートと共に除去する工程が改善されてもよい。代表的な艶出し工具は、ノースカロライナ州ステーツビル（Statesville）のスピードボール・アート・プロダクツ（Speedball Art Products）から入手可能なスピードボール・ブレイヤー（Speedball Brayer）である。
【００２６】
一実施形態では、方法は、第１の部分の剥離ライナーを除去する前に、器具の縁部を第１の部分の重なり合った縁部に沿って整列させて、材料の除去を向上させることを包含する。
【００２７】
一実施形態では、方法は、剥離ライナーに固定的に取り付けられ、且つラミネートシートのウェブ材料を超えて延びるように配置されたプルタブを含む、表面被覆ラミネートの少なくとも第１の部分を提供することを包含する。この実施形態では、裏張りシート除去器具を少なくとも１つの部分に当てる必要はない。
【００２８】
一実施形態では、方法は、剥離ライナーがウェブ材料と同一を超える広がりを持つ、表面被覆ラミネート部分を提供することを包含する。この実施形態では、剥離ライナー全体の除去を開始するため、余分の剥離ライナーが使用されてもよく、追加の裏張りシート除去器具は不要である。
【００２９】
一実施形態では、方法は、実質的に円筒状の形態で自身の周りに巻き付けられ、且つ被覆される表面の寸法に従って決定された長さを有する表面被覆ラミネート材料の少なくとも１つの量を提供することを包含する。この実施形態では、表面被覆ラミネートは、材料の各ロールが縁部から縁部までの単一幅の領域を被覆するようにサイズ決めされるようにして、目標表面の寸法に従って準備される。
【００３０】
一実施形態では、方法は、剥離ライナーが材料の少なくとも１つの縁部に平行に配置されたしるしを含む、表面被覆ラミネートを提供することを包含する。この実施形態では、最適な重なり合った部分を得るために後に続く部分をどこに位置付けるべきかについて設置者を導くため、剥離ライナーには、しるしが印刷されるか、エンボス加工されるか、ないしは別の方法で付けられてもよい。しるしは連続線または分割された線であってもよい。しるしは、被覆アプリケータの有無に関わらず、後に続く部分を整列させる助けとなってもよい。材料は、単一の縁部または各縁部に沿ってしるしを含んで、いずれかの縁部に沿って貼付される後に続く部分の重なり地点を示してもよい。
【００３１】
一実施形態では、方法は、ある分量の表面被覆ラミネート材料を提供する工程を含む。この分量は、手作業で、或いはラミネートアプリケータを使用することによって、別個の部分に分離されてもよい。表面被覆ラミネートの少なくとも１つの部分は、第１の面および第２の面を有するウェブ材料を含み、第１の面は接着剤を含み、第２の面は剥離ライナー材料または裏張りシート材料に剥離可能に接合される。表面被覆ラミネートの第１の部分の第１の面は、被覆される表面と接触して配置される。表面被覆ラミネートの第２の部分の第１の面は、被覆される表面と接触して配置され、第２の部分の少なくとも一部は第１の部分の剥離ライナーの一部に重なる。剥離ライナーは、第２の部分の剥離ライナーを包含する、第１の部分に重なる第２の部分のその部分と共に、表面被覆ラミネート材料の第１の部分から除去される。これにより、第１の部分に隣接し、且つそれに当接した第２の部分が残される。任意に、第２の部分の剥離ライナーは、重なり線に沿って筋を付けられて、除去プロセスの間のその地点におけるライナーの剪断を容易にしてもよい。
【００３２】
裏張りシート材料または剥離ライナーの除去は、接着剤で裏打ちされた裏張りシートの除去器具の一部分を剥離ライナーの上方角に当て、表面被覆ラミネートの長縁部から約１５度〜約７５度の角度で下向きに引張ることによって容易になってもよい。代替実施形態では、裏張りシートは、長縁部から約３０度〜約６０度の角度で引張ることによって除去されてもよい。表面被覆ラミネートの連続する部分はそれぞれ目標表面に付着されているので、裏張りシート除去器具はその部分に添えられてもよい。一実施形態では、指示２０は、接着剤で裏打ちされた裏張りシートの除去器具の使用法を例示するカードを包含する。
【００３３】
材料は、目標表面に沿って開始点から離れる方向に動く動作によって引き離されているので、除去プロセスと関連付けられた剥離角度は約１８０度であると見なされる。同時に、材料は、表面被覆材料の長縁部から約１５度〜約７５度の角度で引張られている。
【００３４】
一実施形態では、継ぎ合わせ方法は、材料の第１の部分と重なり合う地点において、材料の第２の部分を艶出しすることを包含する。ローラー状の艶出し工具を重なり地点に沿って通過させることによる材料の艶出しによって、重なり合った部分を第１の部分の裏張りシートと共に除去する工程が改善されてもよい。代表的な艶出し工具は、ノースカロライナ州ステーツビル（Statesville）のスピードボール・アート・プロダクツ（Speedball Art Products）から入手可能なスピードボール・ブレイヤー（Speedball Brayer）である。
【００３５】
一実施形態では、方法は、第１の部分の剥離ライナーを除去する前に、器具の縁部を第１の部分の重なり合った縁部に沿って整列させて、重なり地点に沿った材料の除去を向上させることを包含する。
【００３６】
一実施形態では、方法は、剥離ライナーに固定的に取り付けられ、且つラミネート部分のウェブ材料を超えて延びるように配置されたプルタブを含む、表面被覆ラミネートの少なくとも第１の部分を提供することを包含する。この実施形態では、裏張りシート除去器具をその少なくとも１つの部分に当てる必要はない。
【００３７】
一実施形態では、方法は、剥離ライナーがウェブ材料と同一を超える広がりを持つ、表面被覆ラミネート材料を提供することを包含する。この実施形態では、剥離ライナー全体の除去を開始するため、余分の剥離ライナーが使用されてもよく、追加の裏張りシート除去器具は不要である。
【００３８】
一実施形態では、指示は、裏張りシートを組み込んでいない表面被覆材料を貼付し、この材料の隣接部分の間に合掌貼りを得る方法を包含する。この実施形態は、折畳みボードを組み込んだアプリケータを使用して、材料の第１の部分を貼付する工程を包含する。折畳みボード式のアプリケータは、予め定められた量の材料が目標表面に接着されず、代わりに表面から離れる方向に折り畳まれるように、貼付の間に材料の１つの縁部を後方に折り返す。次に、材料の第２の部分が、第１の材料部分の折り畳まれた部分に重なって貼付される。次に、重なり合った部分は、目標表面との接合部において艶出しされ、鋭利な器具を用いて、もしくは用いずに除去される。
【００３９】
折畳みボード式のアプリケータを利用して表面被覆材料を貼付する方法は、また、剥離ライナーを含む表面被覆材料を用いて実施されてもよい。表面被覆材料の第２の部分の剥離ライナーは、剥離ライナーを材料の第１の部分から除去する前に、重なり合った折畳み線に沿って筋を付けられてもよい。
【００４０】
一実施形態では、方法は、ライナー無しの表面被覆材料を提供する工程と、材料の第１の部分を目標表面に貼付する工程とを包含してもよい。次に、貼付された部分の１つの縁部に実質的に平行な第１の材料部分の一部分は、刃物を使用して、または接着縁部被覆器具を用いて被覆される。次に、第２の材料部分が、刃物または接着縁部被覆器具に重なって目標表面に貼付される。次に、工具または接着器具は、第２の材料部分の重なり合った部分と共に除去される。
【００４１】
一実施形態では、方法は、実質的に円筒状の形態で自身の周りに巻き付けられ、且つ被覆される表面の寸法に従って決定された長さを有する表面被覆ラミネート材料の少なくとも１つの量を提供することを包含する。この実施形態では、表面被覆ラミネートは、材料の各ロールが縁部から縁部までの単一幅の領域を被覆するようにサイズ決めされるようにして、目標表面の寸法に従って準備される。設置者が材料の端部を裁ち落として要望に適応させることができるように、いずれかの特定のロールにおける材料の長さは、実際の目標表面部分よりも長くてもよい。
【００４２】
一実施形態では、方法は、剥離ライナーが材料の少なくとも１つの縁部に平行に配置されたしるしを含む、表面被覆ラミネートを提供することを包含する。この実施形態では、最適な重なり合った部分を得るために後に続く部分をどこに位置付けるべきかについて設置者を導くため、剥離ライナーには、しるしが印刷されるか、エンボス加工されるか、ないしは別の方法で付けられてもよい。しるしは連続線または分割された線であってもよい。しるしは、被覆アプリケータの有無に関わらず、後に続く部分を整列させる助けとなってもよい。材料は、いずれかの縁部に沿って貼付される後に続く部分の重なり地点を示すために、単一の縁部または各縁部に沿ってしるしを含んでもよい。
【００４３】
追加の指示供給源に関する情報も、キット１００の一部として提供されてもよい。代表的な追加の供給源としては、連絡先電話番号、インターネットウェブサイト、郵送先住所、および追加の指示媒体の注文書が挙げられるが、これらに限定されない。提供されるインターネット源がコンテンツへのアクセスを包含してもよく、それが次に、格納し後で再生するために、または貼付プロセスの間に使用するのに印刷するために、ユーザによってダウンロードされてもよい。
【００４４】
一実施形態では、キットは、実際の設置を部分的または全面的に支援する、専門の設置者のサービスへのアクセスに関する手引きを提供する。この実施形態では、自分自身で表面被覆材料を設置するのを差し控えることを選択する消費者は、設置を専門の設置者に実行させることが可能か否かを容易に検討することができる。
【００４５】
一実施形態では、キット１００は参照カード２５も含む。参照カード２５は、貼付指示の縮約版を含み、設置者が、参照カード２５を近接位置で保持したまま表面被覆の貼付を続行することができるようにする、紐、クリップ、または他の取付け手段を含んでもよい。参照カード２５は、設置プロセスの工程に関する一組のキーワード、または貼付工程と関連付けられた一組の図形的画像を含んでもよい。参照カード２５は、キット内に提供された貼付器具に組み込まれたしるしを参照して、いずれかの特定の器具を使用する適切な手順に関して、ユーザに対する手引きを提供してもよい。参照カード２５は、文章と図形の組み合わせを含んで、貼付方法の工程においてユーザを促してもよい。
【００４６】
一実施形態では、キット１００は、表面被覆材料の第２のロールを目標表面に対して保持し、その貼付を容易にするように適合された、第２のアプリケータ３０を更に含む。
【００４７】
第２のアプリケータ３０は、第１のアプリケータ１０と関連付けられたロールの幅または幅範囲とは実質的に異なる幅の、表面被覆材料のロールを貼付するのに使用するように適合される。代表的な第２のアプリケータは、表面被覆材料の縁取りロールを貼付するのに適合される。縁取りロールは、第１のアプリケータ１０と関連付けられたロールに比べて比較的幅が狭い。一例として、第１のアプリケータと共に使用するように構成されたロールは、約２５〜約３５ｃｍの範囲の幅を含んでもよい。対照的に、第２のアプリケータと共に使用するように構成されたロールは、約４〜約８ｃｍの幅を含んでもよい。
【００４８】
代替実施形態では、第２のアプリケータは、ディスペンサとしての働きをし、比較的幅が狭いロールの部分を分配して目標表面に手作業で貼付するのを容易にする。
【００４９】
一実施形態では、表面被覆材料は剥離ライナーを含んでもよく、第２のアプリケータ、即ちディスペンサ３０は、表面被覆材料の剥離ライナーを材料の残りの部分から分離する手段を含んでもよい。この手段は、剥離ライナーがタブの一方の面上に、材料の残りの部分がタブの他方の面上に位置付けられた状態で、表面被覆材料を送ることができるように構成された、タブまたは一連のタブを含んでもよい。この構成により、表面被覆材料が第２のアプリケータ３０から分配されるにつれて、剥離ライナーを分離することが容易になってもよい。
【００５０】
一実施形態では、指示２０は、表面被覆材料の縁取りロールの接着剤部分をロールの剥離ライナーから分離することを容易にする工程を包含してもよい。これらの工程は、ロールの一部分をディスペンサから、即ち第２のアプリケータ３０から送り出し、その部分を分離タブの下に通すことを包含してもよい。裏張りシート除去器具の一部分は、タブ縁部に沿ったタブの上流の材料に取り付けられるなど、材料の接着剤部分に接着によって取り付けられてもよい。その後、追加材料をディスペンサから除去することにより、結果として、接着剤部分がタブ縁部に沿って裏張りシートから分離されてもよい。
【００５１】
第２のアプリケータ３０は、ユーザが、分配中に剥離ライナーを適切に分離するために、材料のロール９０を第２のアプリケータに装填できるようにする、視覚的手掛りを含んでもよい。指示２０は、第２のアプリケータ３０を適切に装填する方法、および表面被覆材料の貼付全体において第２のアプリケータ３０を使用する方法を包含してもよい。
【００５２】
一実施形態では、キット１００は、剥離ライナー材料を縁取りロールのラミネート材料の接着剤部分から分離することに関する指示を提供する指示カード２７を包含する。キット１００は、ラミネート材料の縁取りロールの残りの部分から分離された剥離ライナーを回収するのを容易にするように適合された、１以上の縁部回収カード２９を含んでもよい。
【００５３】
キット１００は、目標表面への表面被覆材料の貼付を微調整するのを容易にするように適合された、貼付微調整器具４０を更に含んでもよい。貼付微調整器具は、目標表面に既に貼付された表面被覆材料の部分からしわおよび／または気泡を除去するのを容易にするように適合された、把持表面および１以上の平滑化縁部を有する平滑化工具を含んでもよい。
【００５４】
一実施形態では、貼付微調整器具４０は、角などの問題がある領域における表面被覆材料の貼付を容易にするため、けがき器具５０と併せて使用されてもよい１以上の位置合わせ穴を含む。この実施形態では、指示２０は、表面被覆材料を問題がある領域に貼付する際に、貼付微調整器具４０をけがき器具５０と共に使用する方法を提供してもよい。
【００５５】
キット１００は、けがき器具５０を更に含んでもよい。代表的なけがき器具としては、千枚通し、ペン、および鉛筆が挙げられるが、これらに限定されない。けがき器具５０は、表面被覆材料の貼付を容易にするため、目標表面上に線を引く際に、貼付微調整器具４０と協働して機能するように構成されてもよい。
【００５６】
一実施形態では、表面被覆材料は、剥離ライナーまたは裏張りシート材料を包含する。この実施形態では、キット１００は、ある分量の裏張りシート除去器具６０を含んでもよい。裏張りシート除去器具６０は、裏張りシート材料に接着して取り付けられるように適合される。そのような取付けにより、表面被覆材料および裏張りシートを目標表面に貼付した後に、裏張りシート材料を表面被覆材料の残りの部分から分離することが可能になる。裏張りシート除去器具６０は、別個の部分の形態で、または裏張りシート除去材料のロールの形態で提供されてもよい。ディスペンサ６５は、裏張りシート除去器具６０のロールを別個の部分に分離するのを容易にするために提供されてもよい。指示２０は、表面被覆材料を貼付する間、裏張りシート除去器具６０を効果的に使用する工程を含んでもよい。
【００５７】
一実施形態では、キット１００は、往復運動する接着剤裏張りシート除去工具を含んでもよい。この工具は、陥凹位置から露出位置まで動いてもよい接着剤表面を含む。陥凹位置では、接着剤表面と他のいずれかの表面とが偶発的に接触する可能性が大幅に低減される。この実施形態では、工具は、表面被覆材料の貼付された部分の裏張りシートに隣接して置かれ、接着剤表面は、接着剤が裏張りシートに接触するように、露出位置まで動かされる。次に、接着剤は陥凹位置まで動かされて、裏張りシートの少なくとも一部分を表面被覆材料の残りの部分から離れる方向に引張る。
【００５８】
キット１００は、第１のアプリケータ１０の少なくとも一部分を洗浄して、最適なアプリケータ性能を維持する、または復元するように適合された、少なくとも１つの洗浄器具７０を更に含んでもよい。埃、くず、または他の物質が、第１のアプリケータ１０の一部分または複数の部分上に集まるので、第１のアプリケータ１０を使用した表面被覆材料の貼付は時間と共に劣化することがある。第１のアプリケータ１０の性能の劣化は、表面被覆材料の品質に寄与することがあり、表面被覆材料と関連付けられた消費者の体験全体に悪影響を与えることがある。最適なアプリケータ機能の維持または復元は、影響を受けた第１のアプリケータ１０の１以上の部分を洗浄して、堆積した物質があればそれを除去することを必要とすることがある。適切な洗浄器具を提供することにより、アプリケータの洗浄が促進され、第１のアプリケータが最適レベルに近い性能レベルで容易に維持され、それによって、表面被覆材料の貼付と関連付けられた消費者の体験が向上されてもよい。代表的な洗浄器具７０としては、当該技術分野において既知のような別個に包装されたアルコール拭取り用品、ならびに多孔質の先端を有するアルコールペンが挙げられるが、これらに限定されない。アルコール拭取り用品またはペンは、アプリケータ１０の性能を最適またはほぼ最適に復元するのに使用されてもよい。
【００５９】
キット１００は、キット１００の構成器具を全て保持するように適合された紙箱８０を更に含んでもよい。紙箱８０は、単純な容器であってもよく、他のキット１００用器具を外し易い形で保持してもよい。一実施形態では、紙箱８０は区分化され、特定のキット用器具を保持するようにそれぞれ構成された、調整された区画を含む。一例として、紙箱８０は、第１のアプリケータ２０、指示用のデジタル汎用ディスク２０、指示用小冊子２０、第２のアプリケータ３０、貼付微調整器具４０、けがき器具５０、ある分量の裏張りシート除去材料６０、および裏張りシート除去材料のディスペンサ６５、参照カード２５、ならびに特別な貼付技術を説明したアイディア冊子それぞれのための、調整された区画を有してもよい。紙箱８０は、第１のアプリケータ１０または第２のアプリケータ３０のどちらかと共に使用するように構成された、表面被覆材料の１以上のロール９０を格納するように構成された追加の空間を含んでもよい。紙箱８０は、追加の指示材料の格納空間を含んでもよい。一実施形態では、キット１００は、表面被覆材料の１以上のロール９０を含んでもよい。一実施形態では、紙箱８０は、キット１００の全ての構成要素を見せ、それらにアクセスするために広げられてもよく、その後、折り畳まれて全ての構成要素を格納してもよい。
【００６０】
本明細書に開示されている寸法および値は、列挙した正確な数値に厳しく限定されるものとして理解されるべきではない。それよりむしろ、特に指定されない限り、こうした寸法はそれぞれ、列挙された値とその値周辺の機能的に同等の範囲との両方を意味するものとする。例えば、「４０ｍｍ」として開示される寸法は、「約４０ｍｍ」を意味するものとする。
【００６１】
「発明を実施するための最良の形態」で引用したすべての文献は、関連部分において本明細書に参考として組み込まれるが、いずれの文献の引用も、それが本発明に対する先行技術であることを容認するものと解釈されるべきではない。この文書における用語のいずれかの意味または定義が、参考として組み込まれる文献における用語のいずれかの意味または定義と対立する範囲については、本文書においてその用語に与えられた意味または定義が適用されるものとする。
【００６２】
本発明の特定の実施形態を説明し記載してきたが、本発明の趣旨および範囲から逸脱することなく、他の様々な変更および修正が可能であることが、当業者には明白であろう。したがって、本発明の範囲内にあるそのような全ての変更および修正を添付の特許請求の範囲で扱うものとする。
【００６３】
本文書の特許請求の範囲は、本発明の主題を特定して指摘し明確に主張するものであるが、本発明は、発明の詳細な説明を添付図面と併せ読むことによってより理解されるものと考えられ、図面においては、複数の図面の対応する機構は同一の符号を付される。
【図面の簡単な説明】
【００６４】
【図１】本発明の一実施形態によるキットの斜視図を概略的に示す。
【図１】
2009528466.tif 000003
【国際調査報告】
2009528466.tif 000004
2009528466.tif 000005